(57)【特許請求の範囲】
【請求項１】
片手で把持して手指を刺激する弾性伸縮部材からなる手指訓練具であって、
下半部をなす基部と、前記基部の上部に突設して上半部をなす手指刺激部とで形成し、
前記手指刺激部は、複数の長尺刺激体と、少なくとも１以上の短尺刺激体とで構成し、
前記基部は、前記長尺刺激体の長手方向に略偏平状に形成した偏平基部からなり、
前記長尺刺激体は、略球状の３以上の全ての球状刺激部の互いの間隙が密となるよう各前記球状刺激部の表面から内側にかけて重複して連設し、
前記短尺刺激体は、前記長尺刺激体よりも短く形成し前記球状刺激部よりも大きな略球状で基端を縮径して前記基部に突設すると共に最外側に配設したことを特徴とする手指訓練具。
【請求項２】
前記手指刺激部には、前記手指刺激部を略任意の形状に保持する形状保持部材を内在したことを特徴とする請求項１に記載の手指訓練具。
【請求項３】
前記短尺刺激体は、前記球状刺激部の外形よりも略２倍以上の大きさに形成したことを特徴とする請求項１または２に記載の手指訓練具。
【請求項４】
前記基部は、前記長尺刺激体の長手方向に対して略直交方向に横長の略ラグビーボール状に形成すると共に底部を前記長尺刺激体の長手方向に対して略直交方向に水平に切削した平面を有することを特徴とする請求項１乃至３の何れか１項に記載の手指訓練具。
【発明の詳細な説明】
【技術分野】
【０００１】
本発明は、簡易な構成で手指の痙縮や拘縮等を改善するための手指訓練具に関する。
【背景技術】
【０００２】
従来より、脳卒中の後遺症として筋肉の過度な緊張により手指が握ったまま開き難くなる痙縮を発症することや、痙縮を長期間放置することで筋肉が固まり、更に関節の運動が制限される拘縮に進展する事例が多い。
【０００３】
また、脳卒中とは無関係に麻痺により筋肉が萎縮することや、長期間の入院により身体を動かさないことで筋肉の柔軟性が失われ拘縮を発症する事例も多い。
【０００４】
このような痙縮や拘縮が手指に発症した場合、常に握られた手指や掌には菌が繁殖して不衛生になることや、伸びた爪で掌を損傷する等してしまうため、各指間に挿入されると共に掌で握られる吸湿性の高い素材で形成された介護用具が用いられている。
【０００５】
当該用具は、抗菌性や滅菌性、殺菌性、脱臭加工等を施したり、該用具が手指から脱落しないような工夫を凝らすことで、日常生活での当該用具の装着により現状からの更なる悪化を防止することを目的としている。
【０００６】
しかしながら、痙縮や拘縮の本質的な回復を目的とする所謂リハビリのような訓練具で簡易な用具が積極的に考案されてない中で、例えば、特許文献１に係る指矯正具が開示されており、本技術は、袋状の握持部を形成し、この握持部の内部にビーズを充填し、前記握持部の側縁部には、内部で連通しビーズが充填されるよう形成した複数本の指間挿嵌用突起を突設したものである。
【０００７】
当該指矯正具は、内部にビーズを充填したことで指間挿嵌用突起がビーズの移動で太さが変化するため脱落し難い構成であるとされている。
【先行技術文献】
【特許文献】
【０００８】
【特許文献１】登録実用新案第３０８６７１６号公報
【発明の概要】
【発明が解決しようとする課題】
【０００９】
確かに、特許文献１に係る指矯正具は、「手に障害を持つ人の麻痺した手先の回復に役立つ」ものとされていることから、使用者が指矯正具を装着し把持動作を繰り返すことで手指や掌にはビーズによる刺激が与えられ、しかも、脱落し難い点で優れている。
【００１０】
しかしながら、袋状で互いに連通する握持部と指間挿嵌用突起の内部に充填されるビーズの粒径は、特に指間挿嵌用突起の内部でビーズの移動を想定するとビーズの粒径は非常に小さなものとなり、手指や掌に刺激を与えるには十分とは言い難い。
【００１１】
更に、指間挿嵌用突起がビーズの移動で太さが変化することで脱落し難いのは、最初の把持動作で指の間隙に見合った形状に変化した後は把持動作を繰り返してもビーズの移動が少なくなるためビーズによる刺激が限定的であることでもある。
【００１２】
これは、把持動作の繰り返しが手指を握る方向でしかビーズによる刺激が付与されないこと、すなわち装着前の萎縮した手指の状態に近づくだけであり訓練としての達成感が乏しく、手指が握ったまま開き難い使用者にとって最も重要な開くための負荷が十分に付与されない点で訓練具としての効果に問題がある。
【００１３】
また、上述の通り、袋状の握持部と指間挿嵌用突起の内部にビーズを充填した構成のみでは常に把持動作で握った形状に変化してしまうだけなので使用者の手指の状態に応じた訓練には対応できない。
【００１４】
本発明は、以上のような事情に鑑みてなされたものであり、使用時に常に手指を開く方向に負荷が付与されると共に使用者の手指の状態に応じた柔軟な訓練に対応することができる手指訓練具を提供することにある。
【課題を解決するための手段】
【００１５】
以上のような目的を達成するために、本発明は以下のようなものを提供する。
【００１６】
請求項１に係る発明では、片手で把持して手指を刺激する弾性伸縮部材からなる手指訓練具であって、下半部をなす基部と、前記基部の上部に突設して上半部をなす手指刺激部とで形成し、前記手指刺激部は、複数の長尺刺激体と、少なくとも１以上の短尺刺激体とで構成し、前記基部は、前記長尺刺激体の長手方向に略偏平状に形成した偏平基部からなり、前記長尺刺激体は、略球状の３以上の全ての球状刺激部の互いの間隙が密となるよう各前記球状刺激部の表面から内側にかけて重複して連設し、前記短尺刺激体は、前記長尺刺激体よりも短く形成し前記球状刺激部よりも大きな略球状で基端を縮径して前記基部に突設すると共に最外側に配設したことを特徴とする手指訓練具を提供せんとする。
【００１７】
請求項２に係る発明では、前記手指刺激部には、前記手指刺激部を略任意の形状に保持する形状保持部材を内在したことを特徴とする請求項１に記載の手指訓練具を提供せんとする。
【００１８】
請求項３に係る発明では、前記短尺刺激体は、前記球状刺激部の外形よりも略２倍以上の大きさに形成したことを特徴とする請求項１または２に記載の手指訓練具を提供せんとする。
【００２０】
請求項４に係る発明では、前記基部は、前記長尺刺激体の長手方向に対して略直交方向に横長の略ラグビーボール状に形成すると共に底部を前記長尺刺激体の長手方向に対して略直交方向に水平に切削した平面を有することを特徴とする請求項１乃至３の何れか１項に記載の手指訓練具を提供せんとする。
【発明の効果】
【００２１】
請求項１記載の発明によれば、片手で把持して手指を刺激する弾性伸縮部材からなる手指訓練具であって、下半部をなす基部と、基部の上部に突設して上半部をなす手指刺激部とで形成し、手指刺激部は、複数の長尺刺激体と、少なくとも１以上の短尺刺激体とで構成し、基部は、長尺刺激体の長手方向に略偏平状に形成した偏平基部からなり、長尺刺激体は、略球状の３以上の全ての球状刺激部の互いの間隙が密となるよう各球状刺激部の表面から内側にかけて重複して連設し、短尺刺激体は、長尺刺激体よりも短く形成し球状刺激部よりも大きな略球状で基端を縮径して前記基部に突設すると共に最外側に配設したことより、手指訓練具を把持すれば弾性伸縮部材によって常に手指を開く方向に負荷が付与されるため手指の痙縮や拘縮の改善に効果的であり、基部は、長尺刺激体の長手方向に略偏平状に形成した偏平基部からなり、短尺刺激体は、略球状に形成したことより、取り扱いが容易であり、掌への刺激を軽減し手指への刺激を増加させることができる。
【００２２】
また、手指刺激部の特徴的な形状や数により把持する箇所を変えることで手指を刺激する箇所も変化するため、使用者の手指の状態に応じた柔軟な訓練に対応することができる。
【００２３】
更に、長尺刺激体に形成した複数の球状刺激部が手指と略係合することで訓練時の手指訓練具の脱落を防止することができる。
【００２４】
請求項２記載の発明によれば、手指刺激部には、手指刺激部を略任意の形状に保持する形状保持部材を内在したことより、使用者の手指の状態に応じた任意の形状に変化させて使用することができ、より柔軟な訓練に対応することができる。
【００２５】
また、使用者が把持することで形状が変化するため訓練の効果を確認し易いだけでなく、変形しても常に手指を開く方向に負荷が付与されるため手指の痙縮や拘縮の改善に効果的である。
【００２６】
請求項３に係る発明によれば、短尺刺激体は、球状刺激部の外形よりも略２倍以上の大きさに形成したことより、手指と略係合することで訓練時の手指訓練具の脱落を更に防止することができる。
【００２８】
請求項４記載の発明によれば、基部は、長尺刺激体の長手方向に対して略直交方向に横長の略ラグビーボール状に形成すると共に底部を長尺刺激体の長手方向に対して略直交方向に水平に切削した平面を有することより、掌を大きく開いた状態で常に手指を開く方向に負荷が付与されるため手指の痙縮や拘縮の改善に効果的である。
【００２９】
更に、底部を水平に切削した横長の略ラグビーボール状に形成すれば机上等に立設した状態で保管することができる。
【図面の簡単な説明】
【００３０】
【図１】（ａ）は本実施形態に係る手指訓練具の正面図で、（ｂ）は右側面図で、（ｃ）は（ａ）の簡易透視図で、（ｄ）は（ｂ）の簡易透視図である。
【図２】本実施形態に係る手指訓練具を変形させた簡易透視図である。
【図３】（ａ）は本実施形態に係る手指訓練具の正面図で、（ｂ）は右側面図である。
【図４】（ａ）は本実施形態に係る手指訓練具の正面図で、（ｂ）は右側面図で、（ｃ）は（ａ）の簡易透視図で、（ｄ）は（ｂ）の簡易透視図である。
【図５】（ａ）は本実施形態に係る手指訓練具の正面図で、（ｂ）は右側面図である。
【図６】（ａ）は本実施形態に係る手指訓練具の正面図で、（ｂ）は手指訓練具の他の正面図で、（ｃ）は右側面図である。
【図７】（ａ）〜（ｃ）は本実施形態に係る手指訓練具の使用例の説明図である。
【図８】（ａ）、（ｂ）は本実施形態に係る手指訓練具の使用例の説明図である。
【発明を実施するための形態】
【００３１】
本発明に係る手指訓練具の要旨は、片手で把持して手指を刺激する弾性伸縮部材からなる手指訓練具であって、下半部をなす基部と、基部の上部に突設して上半部をなす手指刺激部とで形成し、手指刺激部は、複数の長尺刺激体と、少なくとも１以上の短尺刺激体とで構成し、長尺刺激体は、略球状の球状刺激部を複数連設して形成し、短尺刺激体は、長尺刺激体よりも短く形成し球状刺激部よりも大きく形成すると共に最外側に配設したことを特徴とする。すなわち、使用時に常に手指を開く方向に負荷が付与されると共に使用者の手指の状態に応じた柔軟な訓練に対応することができる手指訓練具の提供を図ろうとするものである。
【００３２】
以下、本発明に係る手指訓練具１の一実施形態について図面を参照しながら説明する。また、本説明中において左右同一又は左右対称の構造や部品については、原則として同一の符号を付し、左右何れか一方のみを説明して、他方については説明を適宜省略する。
【００３３】
本発明の実施形態に係る手指訓練具１は、図１（ａ）〜（ｄ）、図７等に示すように、片手Ｈで把持して手指ｆを刺激する弾性伸縮部材からなる手指訓練具１であって、下半部をなす基部２と、基部２の上部に突設して上半部をなす手指刺激部１０とで形成し、手指刺激部１０は、複数の長尺刺激体１１と、少なくとも１以上の短尺刺激体１７とで構成し、長尺刺激体１１は、略球状の球状刺激部１２を複数連設して形成し、短尺刺激体１７は、長尺刺激体１１よりも短く形成し球状刺激部１２よりも大きく形成すると共に最外側に配設している。
【００３４】
また、手指刺激部１０には、手指刺激部１０を略任意の形状に保持する形状保持部材１９を内在している。
【００３５】
このような構成の手指訓練具１は、例えば、図７（ａ）〜（ｃ）に示すように、基部２を掌ｐに位置させつつ手指刺激部１０を手指ｆ間で挟持して把持することや、図８（ａ）、（ｂ）に示すように、長尺刺激体１１のみを手指ｆで把持することで使用者の手指ｆの状態に応じた柔軟な訓練に対応することができるだけでなく、手指訓練具１を把持すれば弾性伸縮部材の反発力により常に手指ｆが開く方向に負荷が付与されるので、把持動作を繰り返すことで手指ｆへの刺激を効率よく付与することができるものである。
【００３６】
以下、本構成について具体的に詳述する。
【００３７】
手指訓練具１は、図１（ａ）、（ｂ）に示すように、略人手のような形状と大きさに形成し、全体を形成する弾性伸縮部材は、例えば、弾性シリコン樹脂やゴム材等のように弾性と伸縮性を共に備えた材料で形成している。
【００３８】
また、基部２は略偏平状に形成した偏平基部３で下半部をなし、基部２の上部に突設する手指刺激部１０を上半部として弾性伸縮部材により一体に形成すると共に、掌ｐで把持した際に萎縮した手指ｆが拡開しつつ把持できる程度の幅広に形成し掌ｐに効率よく刺激が付与されるよう構成している。
【００３９】
従って、ある程度手指ｆが拡開する使用者であれば、例えば、図３（ａ）、（ｂ）に示すように、手指刺激部１０と連接する基部２の一方の端部側を幅広に形成し他方の端部側にかけて幅狭に形成してもよい。
【００４０】
なお、本実施形態では、机上等に立設した状態で保管できるように底部８を水平に切削して形成している。
【００４１】
このように、基部２は、使用者の手指ｆの状態に応じた任意の幅や形状に形成することが望ましいため、また、例えば、図４（ａ）、（ｂ）に示すように、偏平基部３の略偏平状の一側面側に半球状の凸部４を膨出して形成してもよく、また、図４（ｃ）、（ｄ）に示すように、膨出した凸部４の表面に半球状の複数の突起部５を形成してもよく、更に、偏平基部３の両側面に凸部４を形成してもよい。
【００４２】
このような凸部４や突起部５は、手指訓練具１を把持した際の掌ｐへの刺激を増加させ効率よい訓練を可能とする。
【００４３】
なお、上述した突起部５を手指訓練具１の所定部分や全体に形成すれば訓練時の手指ｆへの刺激を更に増加させることができる。
【００４４】
また、例えば、図５（ａ）、（ｂ）に示すように、基部２を横長の略ラグビーボール状に形成すれば手指ｆを大幅に拡開しつつ前後に湾曲した膨出部６が掌ｐへの刺激を増加させ、更に効率よい訓練を可能とする。
【００４５】
なお、本実施形態では、机上等に立設した状態で保管できるように底部８を水平に切削して形成している。
【００４６】
また、本実施形態に係る基部２は、上述した構成に限定されず、本発明の要旨の範囲内において種々の変形・変更が可能であることは言うまでもない。
【００４７】
また、基部２の上部に突設して上半部をなす手指刺激部１０は、図１に示すように、３本の長尺刺激体１１と、１本の短尺刺激体１７とで構成し、長尺刺激体１１は、略球状の球状刺激部１２を複数連設して形成している。
【００４８】
具体的には、長尺刺激体１１の最外側に配設した第一長尺刺激体１３には球状刺激部１２を３個連設し、第一長尺刺激体１３に隣接した第二・第三長尺刺激体１４，１５には球状刺激部１２を各々４個連設している。
【００４９】
球状刺激部１２は、各手指ｆに刺激を与えるだけでなく、例えば、図７（ａ）に示すように、小指ｆ１から人差指ｆ４の間に各々長尺刺激体１１を挿入して図７（ｂ）や（ｃ）のように把持しても各球状刺激部１２の間隙と各手指ｆが略係合して使用時の手指ｆからの手指訓練具１の脱落防止となる。
【００５０】
なお、球状刺激部１２の数は本実施形態に限定されず、また、図１（ａ）に示すように、略球状の球状刺激部１２の表面近傍で接続した態様に限定されず、例えば、図６（ａ）に示すように、各球状刺激部１２の表面から内側にかけて重複して接続した態様、すなわち、球状刺激部１２の間隙が密になった態様であってもよく、本発明の要旨の範囲内において種々の変形・変更が可能である。
【００５１】
また、短尺刺激体１７は、図１（ａ）に示すように、第三長尺刺激体１５に隣接し第一長尺刺激体１３と対向する手指訓練具１の最外側に配設すると共に、第一長尺刺激体１３よりも短く形成し球状刺激部１２よりも大きく形成している。
【００５２】
短尺刺激体１７は、正面視横長の略ラグビーボール状に形成し、例えば、図７（ｂ）に示すように、短尺刺激体１７の基端を人差指ｆ４と親指ｆ５で挟持すれば、人差指ｆ４は、第三長尺刺激体１５の球状刺激部１２の間隙と短尺刺激体１７により囲繞され、親指ｆ５は、短尺刺激体１７と略係合して使用時の手指ｆからの手指訓練具１の脱落防止となる。
【００５３】
また、短尺刺激体１７は、例えば、図７（ｃ）に示すように、短尺刺激体１７の上部両端を人差指ｆ４と親指ｆ５とで挟持すれば両指ｆ４，ｆ５の指腹面に刺激を与えることもできる。
【００５４】
なお、短尺刺激体１７の形状は本実施形態に限定されず、長尺刺激体１１よりも短く形成し球状刺激部１２よりも大きく形成していれば、例えば、略球状や、図６（ｂ）、（ｃ）に示すような側面視横長の略ラグビーボール状に形成する等、本発明の要旨の範囲内において種々の変形・変更が可能である。
【００５５】
また、手指刺激部１０を構成する長尺刺激体１１と短尺刺激体１７には、図１（ｃ）、（ｄ）に示すように、手指刺激部１０を略任意の形状に保持する形状保持部材１９を内在しており、形状保持部材１９は具体的には、弾性変形し易く塑性変形し難い、例えば、金属細線の針金等を用いている。
【００５６】
形状保持部材１９は、手指刺激部１０の各々の略中心を軸線方向として上部側から基部２にかけて配設することで、図２に示すように、手指刺激部１０が略任意の形状に保持されるよう構成している。
【００５７】
以上、説明したように本実施形態に係る手指訓練具１は構成しており、片手Ｈで把持して手指ｆを刺激する弾性伸縮部材からなる手指訓練具１であって、下半部をなす基部２と、基部２の上部に突設して上半部をなす手指刺激部１０とで形成し、手指刺激部１０は、複数の長尺刺激体１１と、少なくとも１以上の短尺刺激体１７とで構成し、長尺刺激体１１は、略球状の球状刺激部１２を複数連設して形成し、短尺刺激体１７は、長尺刺激体１１よりも短く形成し球状刺激部１２よりも大きく形成すると共に最外側に配設したことより、手指訓練具１を把持すれば弾性伸縮部材によって常に手指ｆを開く方向に負荷が付与されるため手指ｆの痙縮や拘縮の改善に効果的である。
【００５８】
また、手指刺激部１０の特徴的な形状や数により把持する箇所を変えることで手指ｆを刺激する箇所も変化するため、使用者の手指ｆの状態に応じた柔軟な訓練に対応することができる。
【００５９】
更に、長尺刺激体１１に形成した複数の球状刺激部１２が手指ｆと略係合することで訓練時の手指訓練具１の脱落を防止することができる。
【００６０】
また、手指刺激部１０には、手指刺激部１０を略任意の形状に保持する形状保持部材１９を内在したことより、使用者の手指ｆの状態に応じた任意の形状に変化させて使用することができ、より柔軟な訓練に対応することができる。
【００６１】
また、使用者が把持することで形状が変化するため訓練の効果を確認し易いだけでなく、変形しても常に手指ｆを開く方向に負荷が付与されるため手指ｆの痙縮や拘縮の改善に効果的である。
【００６２】
また、基部２は、略偏平状に形成した偏平基部３からなることより、取り扱いが容易であり、掌ｐへの刺激を軽減し手指ｆへの刺激を増加させることができる。
【００６３】
また、偏平基部３の略偏平状の一側面側に凸部４を膨出して形成したことより、掌ｐと手指ｆに同時に負荷を付与することができ、更に、把持する箇所を変えることで刺激する箇所も変化するため、使用者の状態に応じた柔軟な訓練に対応することができる。
【００６４】
更に、基部２は、横長の略ラグビーボール状に形成したことより、掌ｐを大きく開いた状態で常に手指ｆを開く方向に負荷が付与されるため手指ｆの痙縮や拘縮の改善に効果的である。
【００６５】
しかも、底部８を水平に切削した横長の略ラグビーボール状に形成すれば机上等に立設した状態で保管することができる。
【００６６】
以上、本発明の本実施形態に係る手指訓練具１の好ましい実施形態について説明したが、本発明は特定の実施形態に限定されるものではなく、種々の変形・変更が可能である。
【符号の説明】
【００６７】
ｆ  手指
Ｈ  手
１  手指訓練具
２  基部
３  偏平基部
４  凸部
１０  手指刺激部
１１  長尺刺激体
１２  球状刺激部
１７  短尺刺激体
１９  形状保持部材
【要約】
【課題】使用時に常に手指を開く方向に負荷が付与されると共に使用者の手指の状態に応じた柔軟な訓練に対応することができる手指訓練具を提供する。
【解決手段】本発明に係る手指訓練具１は、片手Ｈで把持して手指ｆを刺激する弾性伸縮部材からなる手指訓練具１であって、下半部をなす基部２と、基部２の上部に突設して上半部をなす手指刺激部１０とで形成し、手指刺激部１０は、複数の長尺刺激体１１と、少なくとも１以上の短尺刺激体１７とで構成し、長尺刺激体１１は、略球状の球状刺激部１２を複数連設して形成し、短尺刺激体１７は、長尺刺激体１１よりも短く形成し球状刺激部１２よりも大きく形成すると共に最外側に配設したことを特徴とする。
【選択図】図１【図１】
0006781997.tif 000002
【図２】
0006781997.tif 000003
【図３】
0006781997.tif 000004
【図４】
0006781997.tif 000005
【図５】
0006781997.tif 000006
【図６】
0006781997.tif 000007
【図７】
0006781997.tif 000008
【図８】
0006781997.tif 000009